(57)【特許請求の範囲】
【請求項１】
底部の周囲に立設する側面部を有し、上部を開口とする容器本体部と、前記側面部の上端で前記開口の周囲に設けた開口枠部と、前記開口を塞ぐ可撓性材質の天蓋部と、を有する容器であって、
前記側面部の一面側で、前記天蓋部と前記開口枠部とに設けられ、前記天蓋部を前記開口枠部に係止して前記開口を塞ぐ閉蓋状態に維持すると共に、前記天蓋部の撓み変形により前記係止が解除可能な閉蓋係止手段と、
前記側面部の一面側で、前記天蓋部の上面の側端に上方に突き出た突状部と、
前記側面部の一面側と対向する位置にある対向面側で、前記天蓋部の上面の側端に上方に突き出た他の突状部と、を有する容器。
【請求項２】
前記天蓋部は、前記側面部の前記対向面側で、前記開口枠部にヒンジ部を介して開閉可能に連結され、前記天蓋部と連結された前記開口枠部は、前記容器本体部の前記側面部の上端に係止される請求項１に記載の容器。
【請求項３】
前記閉蓋係止手段は、前記開口枠部の側面に設けた切欠部と、該切欠部に係止する前記天蓋部の側面に設けた突出部とから成る請求項１又は２に記載の容器。
【請求項４】
前記側面部の一面側と対向する位置にある対向面側で、前記天蓋部と前記開口枠部とに設けられ、前記天蓋部を前記開口枠部に係止して前記開口を塞ぐ閉蓋状態に維持すると共に、前記天蓋部の撓み変形により前記係止が解除可能な他の閉蓋係止手段を更に有し、
該他の閉蓋係止手段は、前記開口枠部の側面に設けた切欠部と、該切欠部に係止する前記天蓋部の側面に設けた突出部とから成る請求項１に記載の容器。
【発明の詳細な説明】
【技術分野】
【０００１】
本発明は底部の周囲に立設する側面部を有し、上部を開口とする容器本体部と、前記側面部の上端で前記開口の周囲に設けた開口枠部と、前記開口を塞ぐ可撓性材質の天蓋部と、を有する容器に関する。
【背景技術】
【０００２】
粉状又は粒状の洗剤等を収容する容器は、例えば、上部を開口とした直方体形状の容器本体部と、上記開口を形成する枠体の一部にヒンジ部を介して、回動可能に接続された天蓋部とから構成されており、開口を塞いだ天蓋部を使用時に開き、所定の計量スプーン等により洗剤等を取り出している。
【０００３】
上記容器の開蓋を容易にするために、閉蓋時にヒンジ部に設けたゴム状弾性体を弾性変形せしめ、且つ容器本体部と天蓋部とを閉蓋係止手段により係止させることで、開蓋時には、上記閉蓋係止手段を解除させるとゴム状弾性体の復元力により、天蓋部が所定開度以上に開く構造の容器が提案されている（特許文献１参照）。
【先行技術文献】
【特許文献】
【０００４】
【特許文献１】特開平８−２４４８１４号公報
【発明の概要】
【発明が解決しようとする課題】
【０００５】
上記特許文献１に記載の容器は、閉蓋係止手段を解除することでゴム状弾性体の復元力により、天蓋部が容易に所定角度以上に開くことができるので、片手で即座に開蓋が可能となり、使用者にとって使い勝手の良い構造である。
【０００６】
しかしながら、上記容器は使用者にとって開蓋が容易であるが、例えば幼児等にとっても開蓋が容易であることは、予期しない開蓋により洗剤等の収容物を周囲にまき散らしてしまう等の問題が生じる。
【０００７】
本発明は、使用者にとっては容器の開蓋が容易であるが、幼児等にとっては開蓋が困難となる構造を有する容器の提供を目的とする。
【課題を解決するための手段】
【０００８】
上記課題を解決するために本発明に係る容器は、底部の周囲に立設する側面部を有し、上部を開口とする容器本体部と、前記側面部の上端で前記開口の周囲に設けた開口枠部と、前記開口を塞ぐ可撓性材質の天蓋部と、を有する容器であって、前記側面部の一面側で、前記天蓋部と前記開口枠部とに設けられ、前記天蓋部を前記開口枠部に係止して前記開口を塞ぐ閉蓋状態に維持すると共に、前記天蓋部の撓み変形により前記係止が解除可能な閉蓋係止手段と、前記側面部の一面側で、前記天蓋部の上面の側端に上方に突き出た突状部と、を有する構成である。
【０００９】
このような構成によれば、天蓋部で開口が塞がれ、かつ閉蓋係止手段により天蓋部が、容器本体部の側面部の上端で開口の周囲に設けた開口枠部に係止されているときに、側面部の一面側で、天蓋部の上面の側端から上方に突き出た突状部と、該突状部が設けられた側面部の一面側と対向する対向面側の天蓋部の端部とをつかみ、可撓性の天蓋部を撓み変形させることで、閉蓋係止手段による閉蓋状態を解除させて天蓋部を開くことができるので、使用者にとって開蓋を支障なく行えるが、開蓋をするための突状部と天蓋部の端部を手でつかむ動作は、手の小さい幼児等には困難であるから、予期しない幼児等による容器の開蓋を抑制することができる。
【００１０】
本発明に係る容器において、前記側面部の一面側と対向する位置にある対向面側で、前記天蓋部の上面の側端に上方に突き出た他の突状部と、を更に有する構成とすることができる。
【００１１】
このような構成によれば、側面部の一面側と対向する位置にある対向面側の天蓋部に他の突状部を更に有することで、一対の突状部を手でつかみ、可撓性の天蓋部を容易に撓み変形させて、側面部の一面側の閉蓋係止手段による閉蓋状態を解除させて天蓋部を開くことができるが、手の小さな幼児等にとっては一対の突状部をつかんで、天蓋部を撓み変形させるのは困難であり、予期しない幼児による開蓋を防止できる。また、複数の容器を積み重ねるときに、上方容器の底部が、下方容器の一対の突状部の間に位置することで、容器をより安定に積み重ねすることができる。
【００１２】
本発明に係る容器において、前記天蓋部は、前記側面部の前記対向面側で、前記開口枠部にヒンジ部を介して開閉可能に連結され、前記天蓋部と連結された前記開口枠部は、前記容器本体部の前記側面部の上端に係止される構成とすることができる。
【００１３】
このような構成によれば、使用者が天蓋部を撓み変形させて側面部の一面側の閉蓋係止手段による閉蓋状態を解除させたときに、ヒンジ部を介して天蓋部を所定角度に容易に開蓋することができる。また、天蓋部とヒンジ部を介して一体として連結された開口枠部を、容器本体部の側面部の上端に係止するので、開蓋時に天蓋部の紛失等を防止できる。
【００１４】
本発明に係る容器において、前記閉蓋係止手段は、前記開口枠部の側面に設けた切欠部と、該切欠部に係止する前記天蓋部の側面に設けた突出部とから成る構成とすることができる。
【００１５】
このような構成によれば、閉蓋係止手段が、開口枠部の側面に設けた切欠部と、この切欠部に係止する天蓋部の側面に設けた突出部とから成るので、係止により閉蓋状態を維持すると共に、天蓋部を撓み変形させることで、係止を容易に解除させて開蓋できる。
【００１６】
本発明に係る容器において、前記側面部の一面側と対向する位置にある対向面側で、前記天蓋部と前記開口枠部とに設けられ、前記天蓋部を前記開口枠部に係止して前記開口を塞ぐ閉蓋状態に維持すると共に、前記天蓋部の撓み変形により前記係止が解除可能な他の閉蓋係止手段を更に有し、該他の閉蓋係止手段は、前記開口枠部の側面に設けた切欠部と、該切欠部に係止する前記天蓋部の側面に設けた突出部とから成る構成とすることができる。
【００１７】
このような構成によれば、側面部の一面側と対向面側の閉蓋係止手段により、天蓋部と開口枠部との閉蓋状態の維持とその解除とを効果的に行うことができる。
【発明の効果】
【００１８】
本発明に係る容器によれば、側面部の一面側で、天蓋部の上面の側端から上方に突き出た突状部と天蓋部の端部をつかみ、可撓性の天蓋部を撓み変形させることで、天蓋部と、容器本体部の側面部の上端で開口の周囲に設けた開口枠部との係止を解除させて天蓋部を開くことができるので、使用者には開蓋を支障なく行える。一方、手の小さい幼児等には、上記天蓋部を撓み変形させることは困難であることから、予期しない幼児等による容器の開蓋を防止することができる。
【図面の簡単な説明】
【００１９】
【図１Ａ】図１Ａは、本発明の実施の形態に係る容器の平面図である。
【図１Ｂ】図１Ｂは、本発明の実施の形態に係る容器の正面図（図１ＡのＸ１−Ｘ１矢視図）である。
【図２】図２は、本発明の実施の形態に係る容器の側面図（図１のＸ２−Ｘ２矢視図）である。
【図３】図３は、開口枠部とこれに連結する天蓋部（裏面）の平面図である。
【図４】図４は、天蓋部が開いた状態の容器斜視図である。
【図５】図５は、図１ＢのＹ１−Ｙ１端面図である。
【図６】図６は、図２のＹ２−Ｙ２端面図である。
【図７Ａ】図７Ａは、図５のＡ１部拡大図である。
【図７Ｂ】図７Ｂは、図５のＡ２部拡大図である。
【図８Ａ】図８Ａは、掴んだ天蓋部を撓ませて開蓋する動作の説明図である（その１）。
【図８Ｂ】図８Ｂは、掴んだ天蓋部を撓ませて開蓋する動作の説明図である（その２）。
【図９】図９は、図１ＢのＹ１−Ｙ１端面図のうち、本発明の他の実施形態を示すものである。
【図１０Ａ】図１０Ａは、図５のＡ１部詳細図のうち、本発明の実施の形態の変形例Ａ３を示すものである。
【図１０Ｂ】図１０Ｂは、図５のＡ１部詳細図のうち、本発明の実施の形態の変形例Ａ４を示すものである。
【発明を実施するための形態】
【００２０】
以下、本発明の実施の形態について図面を用いて説明する。
【００２１】
本発明の実施の形態に係る容器１１は、図１Ａ〜図４に示すように構成される。
【００２２】
図１Ａ〜図４において、容器１１は、その上部を略長方形状の開口１２とする直方体形状の容器本体部１３と、容器本体部１３の上端に設けた開口枠部１８と、開口１２を塞ぐ天蓋部１５とを有する（図４参照）。容器本体部１３は、底部１６と、底部１６の周囲から立設する側面部１７ａ、１７ｂ、１７ｃ及び１７ｄと、から成る。開口枠部１８は、側面部１７ａ、１７ｂ、１７ｃ及び１７ｄの上端に嵌め込まれて係止する、長方形状の枠体である。なお、相互に向かい合う位置にある一対の側面部１７ａ、１７ｂは、他の相互に向かい合う位置にある一対の側面部１７ｃ、１７ｄよりも水平方向に長い、幅広の側面となっている。
【００２３】
開口枠部１８は、下側を開口とする断面逆Ｕ字形状の、全体が長方形状の枠体で、この逆Ｕ字形状の開口部分を側面部１７ａ、１７ｂ、１７ｃ及び１７ｄの上端に嵌め込むと共に、側面部１７ａ、１７ｂの上端に設けた各４個の係止突起部（図示せず）を開口枠部１８に形成された係止開口１９ａ、１９ｂ、１９ｃ、１９ｄ、１９ｅ、１９ｆ、１９ｇ、１９ｈに嵌め込まれ係止する。また、開口枠部１８のうち、側面部１７ｂ側が、天蓋部１５の側端とヒンジ部２０を介して連結されている（図３、図５参照）。これにより、開口枠部１８が容器本体部１３に係止されると、天蓋部１５がヒンジ部２０を中心に回動して容器本体部１３の開口の開閉を可能にする。
【００２４】
開口枠部１８の外側に向けた側面のうち、容器本体部１３の側面部１７ａと同じ側には、断面が半円形状に隆起した凸部２１が水平方向に所定長さ（例えば３〜４ｃｍ程度）形成されており、さらにこの凸部２１の下方に凸部２１と水平方向に略同じ長さで形成された切欠部２２（５ｍｍ程度の切欠き長さ）が形成されている（図４、図３参照）。また、天蓋部１５の側面のうち、側面部１７ａと同じ側には、側面の下端が内側に向けて突き出た突出部２３（５ｍｍ程度の突出し長さ）が凸部２１、切欠部２２と水平方向略同じ長さで形成されている（図４参照）。ヒンジ部２０を介して天蓋部１５を回動させて開口１２を閉じると、天蓋部１５の突出部２３が、開口枠部１８の凸部２１への接触により撓み変形した後に、切欠部２２に挿しこまれ、閉蓋状態を維持するように係止する。図１ＢのＹ１−Ｙ１端面図である図５、及び図５のＡ１部拡大図である図７Ａに示すように、天蓋部１５の側面の内側は凸部２１を押圧した状態となり、突出部２３が切欠部２２と係止され、天蓋部１５の回動による開蓋が阻止される。なお、天蓋部１５の突出部２３と、開口枠部１８の切欠部２２とで閉蓋係止手段を構成する。
【００２５】
側面部１７ａ〜１７ｄの一面側である側面部１７ａ側で、天蓋部１５の上面の側端には上方に突き出た板状の突状部２５（突状部）が形成され、さらに、上記一面側である側面部１７ａと対向する位置にある対向面側である側面部１７ｂ側で、天蓋部の上面の側端には上方に突き出た板状の突状部２６（他の突状部）が形成されている。天蓋部１５の上面に一対に形成される突状部２５、２６は、後述するように親指と人差し指（又は他の４本の指）とでそれぞれつかみ、可撓性の天蓋部１５を撓み変形させることができるように、例えば天蓋部１５の上面より２〜３ｃｍ程度の高さに形成された片手によるつかみ部、又ははさみ部である。また、突状部２５と突状部２６との間隔は９ｃｍ〜１０ｃｍ程度の長さで、突状部２５と突状部２６とを大人（男女含む）が片手でつかむことができる長さであるが、幼児等の手のサイズではつかむことが困難な長さとなっている。突状部２５、２６の形状は、指かかり性が良いように外側が曲線状であることが好ましい。また、突状部２５、２６の位置は指でつかめればよく特に限定されないが、突出部２３と切欠部２２との係止を均一に解除できることから、容器の上下方向としては少なくとも突出部２３の上方にあることが好ましく、水平方向としては突出部２３の長さと同等かそれ以上の長さであることが好ましい。天蓋部１５は、上記したように可撓性の材質、例えばポリプロピレン、ポリエチレン等で射出成形される。また、開口枠部１８については、枠体としての強度を有する所定厚さになるように、ポリプロピレン、ポリエチレン等で射出成形される。容器本体部１３については、特に材質が限定されず、収容物等に応じて例えば、ポリスチレン、ポリエチレンテレフタレート、ポリプロピレン等の何れかにより射出成形、真空成形される。
【００２６】
また、図１ＢのＹ１−Ｙ１端面図である図５、及び図５のＡ２部拡大図である図７Ｂに示すように、天蓋部１５は、容器本体部１３の側面部１７ｂ側において、開口枠部１８とヒンジ部２０を介して回動可能に連結されている。これにより、天蓋部１５が回動により容器本体部１３の上部の開口１２の開閉を可能とする。なお、ヒンジ部２０は、天蓋部１５を回動可能に開口枠部１８に連結したものであり、回動可能でかつ所定の耐久性を有するものであればよい。
【００２７】
図２のＹ２−Ｙ２端面図である図６に示すように、天蓋部１５は、閉蓋状態のときに、容器本体部１３の側面部１７ｃ、１７ｄの上端に嵌め込まれて係止される開口枠部１８の上部に当接した状態に載置される。上記のように、天蓋部１５の側面部１７ｃ、１７ｄの側が単に載置されている状態であるから、天蓋部１５の上面で、側面部１７ａ、１７ｂの側にそれぞれ設けた突状部２５、２６を掴み、天蓋部１５を撓み変形させて突出部２３と切欠部２２との係止を解除させることで、側面部１７ｂ側のヒンジ部２０を介して天蓋部１５を所定角度に開蓋することができる。
【００２８】
上記した天蓋部１５による閉蓋状態から開蓋状態への動作を、図８Ａ、図８Ｂを参照して説明する。閉蓋状態にある容器１１において、容器本体部１３の開口枠部１８に係止している天蓋部１５の係止状態を解除するために、天蓋部１５の上面に設けられた突状部２５、２６を片手でつかみ、可撓性材質から成る天蓋部１５を撓み変形させる。具体的には、例えば親指３１と人差指３２（又は親指３１以外の他の４本指）で、突状部２５、２６をつかむと、矢印３５方向に突状部２５が傾いて撓み、変形する。なお、突状部２５、２６を片手でつかんで天蓋部１５を撓み変形させ易くするように、天蓋部１５の側面のうち、側面部１７ｃ、１７ｄ側で突状部２５に近い部分を薄肉部（又は段差、蛇腹等を設けた構造）３３ａ、３３ｂとすることができる（図１Ａ、図２〜図４の破線で示す部分を参照）。このとき、突状部２６も同様に撓み、変形が生じるが、係止解除のために突状部２５の撓み、変形を大きくするために、特に突状部２５の上端部を掴むようにする。親指３１等でつかまれた突状部２５が突状部２６側に傾くように撓み、変形すると、開口枠部１８の切欠部２２に挿し込まれて係止していた天蓋部１５の側部の下端に形成された突出部２３が、容器１１の外方向に移動して切欠部２２との係止が解除される。
【００２９】
そして、図８Ｂに示すように、開口枠部１８との係止が解除された天蓋部１５を、ヒンジ部２０を中心として所定角度回動させて天蓋部１５を開蓋状態とする。そして、容器本体部１３内から収納物（例えば、洗剤等）を取り出すことができる。その後、天蓋部１５を容器本体１３側に回動させると、天蓋部１５の側面の下端に形成された突出部２３が、開口枠部１８の凸部２１に当接して撓み変形し、さらに天蓋部１５により閉蓋状態としたときに、突出部２３が凸部２１の真下に形成された切欠部２２に挿しまれて係止する。天蓋部１５の側面の内側は凸部２１を押圧した状態になるので、上記した突出部２３と切欠部２２との係止状態が維持され、天蓋部１５の開蓋状態への移行が防止される。
【００３０】
上記構造の容器１１について、使用者は、天蓋部１５の上面に形成される突状部２５、２６を片手でつかみ、突状部２５を傾かせて、可撓性材質の天蓋部１５を撓み変形させると、突出部２３が容器１１の外側に向けて移動して、切欠部２２との係止が解除され、天蓋部１５を、ヒンジ部２０を介して回動させることで、容易に開蓋できる。一方、幼児のように手の小さい者が、容器１１の天蓋部１５上面の突状部２５、２６をつかんで、天蓋部１５を撓み変形させるのは難しい動作であり、幼児等による予期しない開蓋動作を防止することが可能となる。なお、本実施形態では、天蓋部１５の上面に突状部２５、２６として２箇所設けているが、天蓋部１５の撓み変形させる側の突状部２５のみを単独で設けてもよい。この場合、突状部２５と天蓋部１５のヒンジ部２０側の端部とをつかんで、天蓋部１５を撓み変形させてもよい。
【００３１】
次に、図９を参照して本発明の他の実施形態を説明する。上述した実施形態と同様の機能、構造を有する部分については、同一名称及び同一符号を付している。また、上述した実施形態との相違点を説明する。本実施形態の特徴点は、容器１１ａの天蓋部１５ａが容器本体部１３の開口枠部１８ａとヒンジ部を介して連結されておらず、開蓋すると容器本体部１３から天蓋部１５が離脱することである。図９において、天蓋部１５ａは、容器本体部１３の側面部１７ａ、１７ｂ側の開口枠部１８ａとそれぞれ係止する構造となっている（閉蓋状態のとき側面部１７ｃ、１７ｄの側では、上述した実施形態と同様、天蓋部１５ａは側面部１７ｃ、１７ｄの上端に載置された状態）。上述した実施形態では、天蓋部１５と開口枠部１８とが１箇所（側面部１７ａ側）で係止しているが、本実施形態では、天蓋部１５ａと開口枠部１８ａとが２箇所（側面部１７ａ、１７ｂ側）で係止する。すなわち、天蓋部１５ａの上面に突状部２５、２６が設けられているのは同様であるが、突状部２６の側（側面部１７ｂの側）にも突状部２５の側（側面部１７ａの側）と同様に、天蓋部１５ａが開口枠部１８ａに係止して閉蓋状態となる点が上記した実施形態と相違するものである。具体的には、天蓋部１５ａは、側面部１７ａ、１７ｂ側の双方に、天蓋部１５ａの側面の下端にそれぞれ突出部２３ａ、２３ｂが形成され、開口枠部１８ａの側面にも同様にそれぞれ凸部２１ａ、２１ｂ、切欠部２２ａ、２２ｂが形成されている。なお、本実施形態では、突出部２３ａ及び切欠部２２ａ、突出部２３ｂ及び切欠部２２ｂがそれぞれ閉蓋係止手段、他の閉蓋係止手段を構成する。
【００３２】
本実施形態では、閉蓋状態の時は、側面部１７ａ、１７ｂ側において、天蓋部１５ａの突出部２３ａ、２３ｂは、開口枠部１８ａの切欠部２２ａ、２２ｂとそれぞれ係止した状態となっていて、開蓋状態への移行が抑制されている。天蓋部１５ａを開蓋するには、上述同様に、突状部２５ａ、２６ａを手でつかんでそれぞれ内側に傾かせ、天蓋部１５ａを撓み変形させて、突出部２３ａ、２３ｂを容器１１ａの外側に移動させて切欠部２２ａ、２２ｂとの係止を解除させる。係止を解除させた状態のまま、天蓋部１５ａを引き上げて開蓋する。天蓋部１５ａは容器本体部１３に係止した開口枠部１８ａとはヒンジ部等による連結がなされていないので、容器本体部１３と離脱した状態となる。
【００３３】
このように、本実施形態では、天蓋部１５ａが容器本体部１３の開口枠部１８ａとは連結されていないが、上述の実施形態同様、突状部２５ａ、２６ａをつかんで天蓋部１５ａを撓み変形させて係止解除により開蓋するので、使用者である大人には開蓋が可能であるが、手の小さい幼児等には突状部２５ａ、２６ａをつかんでの天蓋部１５ａの撓み変形による係止解除は難しい動作となるので、開蓋を防止することが可能となる。
【００３４】
次に、図１０Ａ、図１０Ｂに、図５のＡ１部の変形例としてのＡ３部、Ａ４部の拡大図を示す。なお、同様の機能を有する部分には、同一の名称、符号を用いて説明する。図１０Ａにおいて、容器本体部１３の側面部１７ａ側における開口枠部１８ｃの側面の先端の切欠部２２ｃが段差状に形成されており、これに天蓋部１５ｃの側面の先端に形成された突出部２３ｃが噛み合うように係止する。また、可撓性材質の天蓋部１５ｃの側面の内側が、開口枠部１８ｃの凸部２１ｃを押圧することで、上記突出部２３ｃが切欠部２２ｃ側に向けて係止するようになる。切欠部２２ｃが段差形状となっているので突出部２３ｃと咬み合い係止し、閉蓋状態を維持することができる。また、図１０Ｂにおいては、突出部２３ｄがＬ字形状に形成されており、開口枠部１８ｄの切欠部２２ｄを引掛けるようにして係止する。このような突出部２３ｄと切欠部２２ｄとの係止により閉蓋状態をより強固に維持することができる。図１０Ａ及び図１０Ｂとも、天蓋部１５ｃ（１５ｄ）の上面に形成された突状部２５ｃ（２５ｄ）、２６ｃ（２６ｄ）を手でつかみ、内側に傾かせることで、天蓋部１５ｃ（１５ｄ）を撓み変形させて突出部２３ｃ（２３ｄ）と切欠部２２ｃ（２２ｄ）との係止を解除させて開蓋を行う点は上記した実施形態と共通する。
【００３５】
また、本発明の実施形態は、本体容器部１３と開口枠部１８を別体として説明したが、本体容器部１３と開口枠部１８を一体とすることもできる。この場合には、射出成形で成形することが好適である。
【符号の説明】
【００３６】
１１    容器
１２    開口
１３    容器本体部
１５、１５ａ    天蓋部
１６    底部
１７ａ、１７ｂ、１７ｃ、１７ｄ    側面部
１８、１８ａ、１８ｃ、１８ｄ    開口枠部
１９ａ〜１９ｈ    係止開口
２０    ヒンジ部
２１    凸部（２１ａ、２１ｂ、２１ｃ、２１ｄ）
２２    切欠部（２２ａ、２２ｂ、２２ｃ、２２ｄ）
２３    突出部（２３ａ、２３ｂ、２３ｃ、２３ｄ）
２５    突状部（２５ａ、２５ｃ、２５ｄ）
２６    突状部（２６ａ、２６ｃ、２６ｄ）
３１    親指
３２    人差指
３３ａ、３３ｂ    薄肉部
【図１Ａ】
0006625830.tif 000002
【図１Ｂ】
0006625830.tif 000003
【図２】
0006625830.tif 000004
【図３】
0006625830.tif 000005
【図４】
0006625830.tif 000006
【図５】
0006625830.tif 000007
【図６】
0006625830.tif 000008
【図７Ａ】
0006625830.tif 000009
【図７Ｂ】
0006625830.tif 000010
【図８Ａ】
0006625830.tif 000011
【図８Ｂ】
0006625830.tif 000012
【図９】
0006625830.tif 000013
【図１０Ａ】
0006625830.tif 000014
【図１０Ｂ】
0006625830.tif 000015